(57)【要約】【課題】光源部からの光を反射する反射板を備えた照明器具において、光源の種類に関係なく、反射板の油汚れ及び埃の付着汚れに対する防汚性を高める。【解決手段】照明器具１は、蛍光灯４と、この蛍光灯４からの光を反射する反射板３と、蛍光灯４及び反射板３を支持すると共に蛍光灯４の点灯回路５を収容する筐体２とを備える。反射板３は、その最表面に反射板表面の下地に形成された反射層よりもオレイン酸接触角が高い撥水撥油層が形成され、蛍光灯４の最下点３０よりも高い位置の天面３１に空気を流通させるための気流調整孔３３を有している。これにより、反射板３表面に油汚れが付き難くできると共に、蛍光灯４の周囲に浮遊する埃を含む気流Ａを気流調整孔３３から排出することができる。従って、光源の種類に関係なく、反射板３の油汚れ及び埃の付着汚れに対する防汚性を高めることができる。【選択図】図４
2010170743.tif 000002
【特許請求の範囲】
【請求項１】
光源部と、この光源部からの光を反射する反射板と、前記光源部及び反射板を支持すると共に前記光源部の点灯回路を収容する筐体とを備えた照明器具において、
前記反射板の最表面には該反射板表面の下地に形成された反射層よりもオレイン酸接触角が高い撥水撥油層が形成され、
前記反射板は、前記光源部の最下点よりも高い位置に、空気を流通させるための気流調整孔を有したことを特徴とする照明器具。
【請求項２】
前記反射板の裏面側に該反射板に振動を与えるための振動子を設けたことを特徴とする請求項１に記載の照明器具。
【請求項３】
前記反射板の最下端に該反射板を伝って流れるオイルを受け留めるオイル受けを設けたことを特徴とする請求項１又は請求項２に記載の照明器具。
【請求項４】
前記反射板の裏面側における前記気流調整孔の周縁に前記撥水撥油層を形成したことを特徴とする請求項１乃至請求項３のいずれか一項に記載の照明器具。
【発明の詳細な説明】
【技術分野】
【０００１】
本発明は、油汚れや埃付着に対する防汚性の高い反射板を有する照明器具に関する。
【背景技術】
【０００２】
従来から照明器具においては、省エネルギ化の試みとして、白熱ランプを電球型蛍光灯やＬＥＤなどの高効率ランプへ置き換えによる使用電力量の削減と共に、反射板の反射率を高めることにより、器具の電力効率を高め、ランプのワット数を下げたり、器具台数を減らすことによって、省電力化がなされてきた。
【０００３】
しかしながら、工場や家庭における油汚れが付着し易い環境においては、照明器具の反射板は経年によって油汚れが付着すると共に、油汚れを介在して埃が付着することにより、その反射率は照明器具設置初期に比べて短期間に低下し、当初の期待された設計照度が得られないという問題があった。
【０００４】
これに対し、反射板の汚れを防止するようにした照明器具として、反射板に形成した光触媒膜に光源からの紫外線を当てることにより、反射板表面に付いたタバコの脂などの有機物質を酸化、分解してクリーニングすることにより防汚性を高めるものが知られている（例えば、特許文献１参照）。しかしながら、この照明器具は、光源に紫外線を強く発生する特殊な蛍光灯を必要とし、通常の紫外線量の少ない蛍光灯や白熱灯を光源とする場合には不適であり、使用する光源の種類が限定される。
【０００５】
また、テールランプカバーのカバーガラスの外面を撥水性を有する保護膜で被覆した照明器具が知られている（例えば、特許文献２参照）。しかしながら、この照明器具は、上記保護膜が撥油性ではないので、油汚れが付着し易い環境では不適であった。
【先行技術文献】
【特許文献】
【０００６】
【特許文献１】特開２０００−６７６２０号公報
【特許文献２】特開平６−６４３１１号公報
【発明の概要】
【発明が解決しようとする課題】
【０００７】
本発明は、上記の問題を解決するものであり、光源部からの光を反射する反射板を備えた照明器具において、光源の種類に関係なく、反射板の油汚れ及び埃の付着汚れに対する防汚性を高めることができる照明器具を提供することを目的とする。
【課題を解決するための手段】
【０００８】
上記目的を達成するために請求項１の発明は、光源部と、この光源部からの光を反射する反射板と、前記光源部及び反射板を支持すると共に前記光源部の点灯回路を収容する筐体とを備えた照明器具において、前記反射板の最表面には該反射板表面の下地に形成された反射層よりもオレイン酸接触角が高い撥水撥油層が形成され、前記反射板は、前記光源部の最下点よりも高い位置に、空気を流通させるための気流調整孔を有したものである。
【０００９】
請求項２の発明は、請求項１に記載の照明器具において、前記反射板の裏面側に該反射板に振動を与えるための振動子を設けたものである。
【００１０】
請求項３の発明は、請求項１又は請求項２に記載の照明器具において、前記反射板の最下端に該反射板を伝って流れるオイルを受け留めるオイル受けを設けたものである。
【００１１】
請求項４の発明は、請求項１乃至請求項３のいずれか一項に記載の照明器具において、前記反射板の裏面側における前記気流調整孔の周縁に前記撥水撥油層を形成したものである。
【発明の効果】
【００１２】
請求項１の発明によれば、反射層よりオレイン酸接触角が高い撥水撥油層により、オイルミストが反射板の最表面に付着し難くなる。また、光源部で暖められた空気が光源部下方から気流調整孔へ流通する上昇気流により、光源部周辺に浮遊する埃が気流に乗って反射板裏面側に排出され、埃が反射板最表面に付着し難くなる。これにより、光源の種類に関係なく、反射板の油汚れと埃汚れとに対する防汚性能を高めることができる。
【００１３】
請求項２の発明によれば、振動子の振動により反射板が振動されるので、反射板に付いた埃は、この振動の衝撃により振るい落とされ、気流調整孔付近に溜まり難く、気流調整孔の目詰まりが起こり難くなり、常に埃が排出される。これにより、長期に使用しても反射板の防汚性能を持続することができる。
【００１４】
請求項３の発明によれば、反射板表面の撥油機能によって反射板を伝って流れ落ちる油滴がオイル受けに溜まるため、オイルが照明器具下の製品や通路などに落下することが無く、好適に使用できる。
【００１５】
請求項４の発明によれば、気流調整孔から外面へ排出されたオイルミストや埃が反射板裏面に付着することが抑制されるので、反射板裏側の防汚性を高めることができる。
【図面の簡単な説明】
【００１６】
【図１】本発明の第１の実施形態に係る照明器具の斜視図。
【図２】同照明器具の分解斜視図。
【図３】同照明器具の部分上面図。
【図４】図３のＩ−Ｉ線断面図。
【図５】上記実施形態の変形例に係る照明器具の半裁断面図。
【図６】（ａ）は上記実施形態の他の変形例に係る照明器具の半裁断面図、（ｂ）は同照明器具の反射板の下方から見た斜視図。
【図７】本発明の第２の実施形態に係る照明器具の半裁断面図。
【図８】本発明の第３の実施形態に係る照明器具の断面図。
【図９】本発明の第４の実施形態に係る照明器具の分解斜視図。
【発明を実施するための形態】
【００１７】
以下、本発明の第１の実施形態に係る照明器具について図１乃至図４を参照して説明する。図１乃至図３に示すように、照明器具１は、筺体２と、蛍光灯４からの光を反射する反射板３と、光源部として直管型蛍光灯４とを備える。筺体２は、反射板３と蛍光灯４とを支持すると共に、蛍光灯４の点灯回路５を収容し、天井面１００などにねじ１１により直付けされ、電源配線コード１２から点灯回路５に電源供給される。蛍光灯４はここでは２灯を示すが、本数に制限はない。
【００１８】
筺体２は、略矩形の中空筺体を成す本体部２１と、本体部２１の長手方向の両端にＴ字状にクロスするようにそれぞれ設けられた矩形のソケット支持部２２と、ソケット支持部２２の長手方向の両端からそれぞれ下側に設けられた蛍光灯用のソケット２３と、反射板３をねじ止めするためのねじ穴部２４とを有する。本体部２１はその長手方向及び短手方向の中心線に関して互いに対称形を成すように構成されている。ソケット２３の対は、本体部２１の長手方向の中央位置に対して対称に、かつ、互いにソケットの挿入部が向かい合うように配設される。
【００１９】
反射板３は、矩形の天面３１と、天面３１の端縁から下方に傾斜する傾斜面３２とを有する。傾斜面３２は、その長手方向に直交する断面が下拡がりの台形状を成す。天面３１には、空気を流通させるための気流調整孔３３が複数形成されている。また、反射板３は、筐体２を下方からソケット２３を残して覆い隠すようにねじ１３によりねじ穴部２４に止められて筐体２に取り付けられ、蛍光灯４を上方から覆うように配設されている。
【００２０】
また、反射板３は、蛍光灯４と対向する反射板表面の下地に白色塗装又はアルミ蒸着等によって反射層が形成されると共に、その最表面には、その下地の反射層よりもオレイン酸接触角が高い撥水撥油層が形成されている。工場のオイルミストとして発生する様々な切削油や食用油などの油汚れに対する防汚性とオレイン酸接触角の相関を検討した結果、オレイン酸接触角が高いものほど、油汚れに対する防汚性も高いことを見出した。
【００２１】
この撥水撥油層は、反射層との密着性が確保でき、反射層の反射率を著しく損なわないものであれば、特に種類は限定されるものでなく、例えば、シリコーン系コーティング、フッ素系コーティング、シリコーンアクリル系コーティング、シリコーンフッ素系コーティングなどを用いることができる。
【００２２】
また、図４に示すように、照明器具１は本体部２１の短手方向の中心線１０に関して対称となり、気流調整孔３３は、蛍光灯４の円筒発光面の最下点３０よりも高い位置に配設され、反射板３の裏面側における気流調整孔３３の周縁３４には、上記と同様の撥水撥油層を形成している。気流調整孔３３は、反射板３の反射機能を損なわないものであれば、その大きさや形、数などに制限はない。なお、気流調整孔３３の大きさや位置を任意に調整することにより、上方への光束をコントロールすることができ、間接光による明るさ感アップなどの効果も期待できる。
【００２３】
この気流調整孔３３を有する反射板３においては、蛍光灯４の点灯時における発光熱により、蛍光灯４の周りの空気が熱せられ、蛍光灯４下方から気流調整孔３３へと貫いて上昇する気流Ａが発生し、このとき気流調整孔３３は、この気流Ａを反射板３の外面側に排出する排出口となる。このとき、反射板３内面に浮遊する埃は気流Ａに乗って反射板３の外面側に排出される。
【００２４】
このように、本実施形態の照明器具１によれば、反射板３に反射層よりオレイン酸接触角が高い撥水撥油層を形成したことにより、オイルミストが反射板３の最表面に付着し難くなる。また、蛍光灯４で暖められた空気が蛍光灯４下方から気流調整孔３３へ流通する上昇気流Ａとなることにより、蛍光灯４周辺に浮遊する埃が気流Ａに乗って反射板３の裏面側に排出され、埃が反射板３の最表面に付着し難くなる。これにより、光源の種類に関係なく、反射板３の油汚れと埃汚れとに対する防汚性能を高めることができる。従って、経年による反射効率の低下を軽減することができ、省電力化することができる。また、反射板３のクリーニングの必要性が少なくなり、メンテナンス性が向上する。
【００２５】
また、反射板３の裏面側における気流調整孔３３の周縁３４に撥水撥油層を形成したことにより、気流調整孔３３から外面へと排出されたオイルミストや埃が反射板３裏面に付着することを抑制し、反射板裏側の防汚性を高めることができる。
【００２６】
次に、上記実施形態の変形例による照明器具１について図５を参照して説明する。この変形例においては、気流調整孔３３が反射板３の天面３１側ではなく、傾斜面３２側に形成されている。なお、図５には、照明器具１は本体部２１の短手方向の中心線１０に対して左半分断面のみを示している。
【００２７】
上記傾斜面３２は天面３１側から２段階に折り曲げられ、気流調整孔３３は蛍光灯４の最下点３０よりも高く位置する傾斜面３２の折り曲げられた上側に形成されている。これにより、気流調整孔３３から排出された油滴と埃とを反射板３裏側の傾斜面３２に多く付着させることができるので、天面３１に気流調整孔３３を設けた場合と比較して、多くの油滴が傾斜面３２に沿って滑り落ち易くなる。
【００２８】
次に、上記実施形態の他の変形例による照明器具１について図６（ａ）、（ｂ）を参照して説明する。この変形例においては、気流調整孔３３が、反射板３における天面３１と傾斜面３２との両方に設けられている。これにより、蛍光灯４で暖められた気流Ａは、天面３１側と傾斜面３２側との２つから排出されるので、蛍光灯４の周辺の埃がより排出され易くなる。
【００２９】
次に、本発明の第２の実施形態に係る照明器具について図７を参照して説明する。本実施形態は、反射板３の裏面側に反射板３に振動を与えるための振動子６を設けた点で前記第１の実施形態と異なる。
【００３０】
振動子６は、電磁モータなどから成り、反射板３の天面３１における気流調整孔３３の近傍に設けられている。振動子６は固定部７により天面３１に固定され、本体部２に内蔵された電源回路（不図示）から電源供給され、矢印Ｂに示す上下方向に振動する。この振動子６の振動は、例えば、電磁モータのシャフト先端部に分銅を偏って取り付け、モータの回転時における分銅の重心不釣合いにより発生させることができる。また、マイコンからのパルス信号で駆動されるリニアバイブレーションモータにより発生させることもできる。
【００３１】
本実施形態によれば、振動子６により反射板３が振動されるので、反射板３に付いた埃は、この衝撃により振るい落とされ、気流調整孔３３付近に溜まり難くなり、気流調整孔３３の目詰まりが起こり難くなる。従って、常に埃が排出され、長期に使用しても、反射板３の防汚性能を持続することができる。なお、振動子６を反射板３に複数個配設することもできる。
【００３２】
次に、本発明の第３の実施形態に係る照明器具について、図８を参照して説明する。本実施形態は、反射板３の最下端に反射板３を伝って流れるオイルを受け留めるオイル受け３５を設けたものである。
【００３３】
オイル受け３５は、反射板３の最下端を内側にＵ字形に曲げた樋状に形成される。また、反射板３には、気流調整孔３３から洩れる光を天面３１の外部側から反射するための補助反射板３６が設けられている。この補助反射板３６は、気流の排出を遮ることなく、気流調整孔３３上を覆うようにその周辺から反射用平板をＬ字型に曲げて形成される。
【００３４】
本実施形態によれば、反射板３に付着した油滴が反射板３の表面の撥油機能により反射板３を伝って流れ落ちてオイル受け３５に溜まるため、オイルが照明器具下の製品や通路などに落下することが無く、好適に使用できる。また、オイル受け３５を反射板３から着脱可能とすることにより、溜まった油滴を簡単に処分することができ、オイル受け３５の手入れがし易くなる。また、オイル受け３５内面にも前記撥水撥油層をその最表面に形成することも好適である。また、補助反射板３６を設けたことにより、気流調整孔３３から洩れる光を低減して、照射光を増やすことができる。
【００３５】
次に、本発明の第４の実施形態に係る照明器具について図９を参照して説明する。本実施形態の照明器具１ａは、ベル型の反射面３７を有する反射板３ａと、光源部として白熱灯又は白熱灯と同じねじ式口金を有する照明灯４ａと、円筒形の筺体２とを備え、照明灯４ａの最下点３０よりも高い位置の反射板３ａの反射面３７に円周状に気流調整孔３３を有するものである。
【００３６】
筐体２は、円筒形の本体部２１ａと、本体部２１ａに設けられたねじ式口金に対応するソケット２３ａと、本体部２１ａに接着材等で接合される反射板取付部２５とを備える。本体部２１ａは、天井面に固定されるオートリフター（電動式昇降装置）５０に取り付けられ、昇降自在となっている。反射板３ａは、その頂部に照明灯４ａを貫通させる開口３８を有し、ねじ１３とねじ穴部２４でねじ止めされて反射板取付部２５に固定される。照明灯４ａは、反射板３ａの開口３８を通してソケット２３ａに取り付けられる。また、反射板３ａの内面及びその外部の気流調整孔３３の周縁３４には、前記と同様の撥水撥由層が形成されている。
【００３７】
本実施形態によれば、照明灯４ａを白熱灯とした場合においても、反射板３ａをベル型とし、反射板３ａに撥水撥由層を形成すると共に、その開口３８近傍の円周辺上に気流調整孔３３を形成したことにより、反射板３ａ表面の油汚れを軽減でき、照明灯４ａの全周囲に浮遊する埃を気流調整孔３３より効率良く排出することができ、防汚性能を向上できる。なお、前記と同様に、反射板３ａの外面に振動子、及び反射板３ａの最下端にオイル受けを設けることもできる。
【００３８】
なお、本発明は上記実施形態の構成に限定されるものではなく、発明の趣旨を変更しない範囲で適宜に種々の変形が可能である。例えば、上記実施形態においては、反射板の形状として台形状及びベル型形状のものを示したが、多角形状など他の形状としてもよい。
【符号の説明】
【００３９】
１、１ａ  照明器具
２  筺体
３、３ａ  反射板
４  蛍光灯（光源部）
４ａ  照明灯（光源部）
５  点灯回路
６  振動子
３０  最下点
３３  気流調整孔
３４  周縁
３５  オイル受け
【図１】
2010170743.tif 000003
【図２】
2010170743.tif 000004
【図３】
2010170743.tif 000005
【図４】
2010170743.tif 000006
【図５】
2010170743.tif 000007
【図６】
2010170743.tif 000008
【図７】
2010170743.tif 000009
【図８】
2010170743.tif 000010
【図９】
2010170743.tif 000011